(57)【要約】【課題】ピンインサートとコネクタケースをねじで結合した状態で相互の偏心、傾きをごく僅かに抑えることができ、コネクタの円滑な着脱が可能で、コネクタを結合した状態でがたつきのないマイクロホンコネクタおよびマイクロホンを得る。【解決手段】コネクタケース１内にピンインサート５がねじ１０で固定され、コネクタケース１の内径に対しピンインサート５の外径が小さく、コネクタケース１の内周面とピンインサート５の外周面との間に隙間がある。ピンインサート５は、電気接点をなすピン７，８，９と、ピンを保持する絶縁体からなるベース２と、ベース２をコネクタケース１の内周面に押し付けるねじ１０を備え、ベース２は、ねじ１０によってコネクタケース１の内周面に押し付けられる側の外周面に、コネクタケース１の内周面に当接するガイド突起２５が半径方向外方に突出して形成されている。【選択図】図１
2008141575.tif 000002
【特許請求の範囲】
【請求項１】
コネクタケース内にピンインサートが挿入され、ピンインサートがねじでコネクタケースに固定され、コネクタケースの内径に対してピンインサートの外径が小さく、コネクタケースの内周面とピンインサートの外周面との間に隙間が生じているマイクロホンコネクタであって、
ピンインサートは、電気接点をなすピンと、このピンを保持する絶縁体からなるベースと、このベースをコネクタケースの内周面に押し付ける上記ねじを備え、
上記ベースは、上記ねじによってコネクタケースの内周面に押し付けられる側の外周面に、コネクタケースの内周面に当接するガイド突起が半径方向外方に突出して形成されているマイクロホンコネクタ。
【請求項２】
ガイド突起は、ベースの周方向に分かれて２箇所に形成されていて、２箇所のガイド突起がともにコネクタケースの内周面に当接している請求項１記載のマイクロホンコネクタ。
【請求項３】
ガイド突起は、ベースの中心軸線と平行に伸びている請求項１または２記載のマイクロホンコネクタ。
【請求項４】
ねじはベースにねじ込まれていて、このねじをドライバで回転させるための孔がコネクタケースに形成されている請求項１記載のマイクロホンコネクタ。
【請求項５】
ねじをベースから引き上げることにより、ねじの肩の部分がコネクタケースの内周面に当接し、ベースの上記ねじの肩の部分とは反対側にあるガイド突起がコネクタケースの内周面に当接している請求項４記載のマイクロホンコネクタ。
【請求項６】
マイクロホンユニットがマイクロホンケースに組み込まれ、マイクロホンケースにマイクロホンコネクタが組み付けられてなるマイクロホンであって、マイクロホンコネクタは請求項１〜５のいずれかに記載のマイクロホンコネクタであるマイクロホン。
【発明の詳細な説明】
【技術分野】
【０００１】
本発明は、コネクタケースにピンインサートを組み込んだ形態のマイクロホンコネクタおよびこれを備えたマイクロホンに関するものであって、コネクタケースとピンインサート相互間の偏心を軽減することができるように構造を工夫したものである。
【背景技術】
【０００２】
マイクロホンによって変換された音声信号は、平衡シールドケーブルによってマイクロホン本体から外部に出力される。マイクロホンと平衡シールドケーブルは、例えば、３ピンタイプのマイクロホンコネクタによって着脱することができるようになっている。マイクロホンコネクタは、例えば、ＥＩＡＪ  ＲＣ−５２３６［音響機器用ラッチロック式丸型コネクタ］（非特許文献１参照）で規定されているコネクタのように、規格化されたものが一般に用いられる。
【０００３】
非特許文献１に記載されている規格化されたマイクロホンコネクタのマイクロホン側コネクタは雄型のコネクタで、ピンインサートがコネクタケース内に配置され、ピンインサートとコネクタケースがねじで結合されている。図７、図８はその例を示すもので、符号１はコネクタケースを、５はピンインサートを、１０はねじをそれぞれ示している。コネクタケース１は円筒形状の金属ケースからなり、コネクタケース１の周壁には、コネクタケース１の一端（図８において左端）寄りの位置において、ネジ１０を回転させるドライバを挿入するための丸孔３が形成されている。
【０００４】
コネクタケース１の中にはピンインサート５が挿入されている。図１１、図１２にも示しているように、ピンインサート５は、絶縁材料、例えば成形樹脂からなるベース２と、ベース２を厚さ方向（中心軸線方向）に貫通しかつベース２に一体に設けられた３本の接続ピン７、８、９を有してなる。ベース２は外周がコネクタケース１の内周に沿った短い円柱状に形成され、外周面から半径方向中心に向かってねじ孔６が形成されている。ベース２はコネクタケース１の奥、すなわち上記丸孔３が形成されている位置に対応した位置にあり、上記ねじ孔６にねじ込まれているねじ１０とコネクタケース１の丸孔３とが対応した位置関係になっている。したがって、コネクタケース１の丸孔３からドライバを挿入してねじ１０を回転させることができる。ねじ１０はベース２の外周面から半径方向外方に突出し、ねじ１０の肩に相当する部分がコネクタケース１の内周面に当たり、ベース２のねじ１０の挿入部とは反対側の外周部がコネクタケース１の内周面に押し当てられることにより、ピンインサート５がコネクタケース１内に固定されている。
【０００５】
上記３本の接続ピン７、８、９はベース２を厚さ方向に貫いていて、一端側（図７、図８において右端側）はコネクタケース１内においてコネクタケース１の中心軸線と略平行に伸び、他端側はコネクタケース１の奥側（図７、図８において左側）の開口端からコネクタケース１の外方に向かって延びている。接続ピン７、８、９の奥側の端部はマイクロホンの適宜の回路に接続される。図示の例では上記ベース２の奥側の端面に密着させて配置されている回路基板１８を接続ピン７、８、９の後端部が貫通していて、図１１に示すように、一つの接続ピン９が回路基板１８の所定の回路パターンに半田１９によって電気的に接続されている。接続ピン９は接地ピンで、回路基板１８の所定の回路パターンを経由してアースに落とされている。あとの二つの接続ピンはホット側とコールド側の信号用のピンで、回路基板１８の所定の回路パターンに、または所定の回路に接続されている。
【０００６】
コネクタケース１の一方の開放端、すなわちベース２が固定されている側とは反対側（図７、図８において右側）からは、例えば、マイクロホンケーブルの一端に設けられた雌型のコネクタが挿入される。図１３はその様子を示している。図１３において、符号３０はマイクロホンを示していて、マイクロホン３０の後端部には上記コネクタケース１を備えて上記のように構成されたマイクロホンコネクタ３２が組み付けられている。マイクロホンコネクタ３２には、マイクロホンケーブル３４の一端に設けられているケーブルコネクタ３６が挿入され結合される。雄型コネクタであるマイクロホンコネクタ３２にケーブルコネクタ３６が結合されることにより、ケーブルコネクタ３６の電気接点に接続ピン７、８、９が嵌まって、双方のコネクタが電気的に接続されるようになっている。
【０００７】
図９ないし図１２にも示すように、上記ベース２の一端の外周には、半径方向外側に僅かに突出したフランジ２１が形成されている。また、ベース２の外周には、上記フランジ２１から中心軸線と平行に延びた位置決め突起２２が一体に形成されている。この位置決め突起２２は、これに対応するコネクタケース１の内周面に形成されている溝に嵌ることによって、コネクタケース１に対しベース２を周方向に位置決めするためのものである。
【０００８】
以上述べたような従来のマイクロホンコネクタは、コネクタケース１内にピンインサート５を挿入し、ねじ１０でピンインサート５をコネクタケース１に固定する構造になっているため、コネクタケース１の内径に対してピンインサート５のベース２の外径を小さくする必要がある。そのため、ねじ１０をピンインサート５のベース２から引き上げて、すなわち半径方向外側に突出させてピンインサート５をコネクタケース１に固定した状態で、コネクタケース１の内周面と上記ベース２との間に隙間が生じる。この隙間が生じることによって、図９に示すように、コネクタケース１とピンインサート５との間に例えば０．２ｍｍ程度の偏心が生じる。この偏心が小さければ大きな問題はないが、偏心が大きくなると、マイクロホンにケーブルを接続することができない、あるいは、接続することができたとしても、双方のコネクタにがたつきを生じて接触不良を起こし、接触雑音を発生する、といった問題を生じる。このような問題が生じないようにするためには、コネクタケース１の内径とピンインサート５のベース２の外径との間に隙間が生じないようにして上記偏心を小さくすればよいが、そうすると、コネクタケース１内にピンインサート５を挿入することができないかまたは挿入しにくくなり、組立が困難になる。
【０００９】
また、上記のようにコネクタケース１とピンインサート５との間に隙間を設ける必要があることから、ピンインサート５をコネクタケース１内に固定するためにねじ１０を回転させたときに作用する回転モーメントで、図１０に示すように、上記隙間の範囲内でピンインサート５が回転した態様でコネクタケース１に固定される。この回転によって、ピンインサート５がコネクタケースに対し最大で４°程度傾くことがあり、このコネクタにケーブルコネクタを結合することができない、あるいは結合しにくくなるといった不具合の要因となる。
さらに、ピンインサート５のベース２の一端に前記フランジ２１を有することによって、ねじ１０を引き上げてピンインサート５をコネクタケース１内に固定した状態で、図１１に示すように、ピンインサート５が例えば２°程度傾くという問題もある。この傾きも、ケーブルコネクタを結合しにくくなるという不具合の要因となる。
【００１０】
上記のような不具合を解消するための構成として、マイクロホン側コネクタ本体のコネクタケースに、受側コネクタ本体と上記マイクロホン側コネクタ本体との間に形成される隙間に嵌め込むスリーブを設け、このスリーブを、上記コネクタケース内に設けたスプリングで押圧することが考えられる（例えば、特許文献１参照）。
しかし、特許文献１記載の発明は、マイクロホン側コネクタと相手のコネクタとを結合したとき、双方のコネクタ間の安定性を確保するための発明であり、本発明のように、ピンインサートの偏心や傾きなどに着目してこれを無くそうとする目的のものではない。また、必要な部品点数が増加し、組立が面倒になるという難点もある。
【００１１】
【非特許文献１】日本電子工業会規格  ＥＩＡＪ  ＲＣ５２３６  音響機器用ラッチロック式丸型コネクタ
【特許文献１】実開昭６０−６８７８１号公報
【発明の開示】
【発明が解決しようとする課題】
【００１２】
本発明は、以上説明したような従来のマイクロホンコネクタの問題点を解消するためになされたもので、組み立てを容易にするために、ピンインサートの外周面とコネクタケースの内周面との間に隙間が生じるようにした上で、ピンインサートとコネクタケースをねじで結合した状態でピンインサートとコネクタケース相互の偏心、傾きが無く、あるいは偏心や傾きがあったとしてもごく僅かな偏心量、傾き量に抑えることができ、コネクタの円滑な着脱が可能で、コネクタを結合した状態でがたつきのないマイクロホンコネクタおよびマイクロホンを提供することを目的とする。
【課題を解決するための手段】
【００１３】
本発明は、コネクタケース内にピンインサートが挿入され、ピンインサートがねじでコネクタケースに固定され、コネクタケースの内径に対してピンインサートの外径が小さく、コネクタケースの内周面とピンインサートの外周面との間に隙間が生じているマイクロホンコネクタであって、ピンインサートは、電気接点をなすピンと、このピンを保持する絶縁体からなるベースと、このベースをコネクタケースの内周面に押し付ける上記ねじを備え、上記ベースは、上記ねじによってコネクタケースの内周面に押し付けられる側の外周面に、コネクタケースの内周面に当接するガイド突起が半径方向外方に突出して形成されていることを最も主要な特徴とする。
【発明の効果】
【００１４】
ピンインサートをコネクタケース内に挿入し、位置合わせしてねじを回転させ、ベースをコネクタケースの内周面に押し付ける。ベースは、コネクタケースの内周面に押し付けられる側の外周面にガイド突起を有し、このガイド突起がコネクタケースの内周面に当接することにより、ベースの半径方向への移動が規制され、コネクタケースに対するピンインサートの偏心をなくしあるいは少なくすることができる。
【００１５】
ガイド突起は、これをベースの周方向に分けて２箇所に形成し、２箇所のガイド突起がともにコネクタケースの内周面に当接するようにすることにより、ベースの位置規制が安定かつ確実に行われ、また、ねじの回転によってベースに作用する回転モーメントでベースがコネクタケースに対して傾くことを防止することができる。
ガイド突起が、ベースの中心軸線と平行に伸びていれば、上記回転モーメントによるベースの回転をより効果的に防止することができる。
【００１６】
このようにして、本発明によれば、コネクタケースに対するピンインサートの偏心および傾きを防止することができ、もって、相手のコネクタを容易に着脱することが可能であるとともに、部品数が増えず、組み立ても容易なマイクロホンコネクタを提供することができる。
【００１７】
なお、本出願人は、本発明に関連するマイクロホンコネクタの発明について先に特許出願した。特願２００６−２２０４４２号と特願２００６−２７２２９２号に係る発明がそれである。特願２００６−２２０４４２号に係る発明は、コネクタケースの内周面とピンインサートの外周面との間に介在し、止めねじでコネクタケースとピンインサートを結合することによってコネクタケースとピンインサートが偏心するのを阻止するスペーサを備えていることを特徴とする。特願２００６−２７２２９２号に係る発明は、コネクタケースの内径に対してピンインサートの外径が小さく、コネクタケースの内周面とピンインサートの外周面との間に隙間が生じているマイクロホンコネクタにおいて、上記隙間に、この隙間を埋める円弧形状の補完部材が介在していることを特徴としている。
【００１８】
本出願人の出願にかかる上記マイクロホンコネクタに関する発明は、いずれもコネクタケースに対するピンインサートの偏心や傾きを無くすことができる点で有効な発明である。本発明がこれらの発明と異なる点は、別の部材を付加することなくコネクタケースに対するピンインサートの偏心や傾きを無くすことができるようにした点である。
【発明を実施するための最良の形態】
【００１９】
以下、本発明にかかるマイクロホンコネクタの実施例について図面を参照しながら説明する。なお、図７以下に示す従来のマイクロホンコネクタの構成部分と同じ構成部分には共通の符号を付している。
図１、図２において、符号１はコネクタケースを、５はピンインサートを、１０はねじをそれぞれ示している。コネクタケース１は円筒形状の金属ケースからなり、コネクタケース１の周壁には、コネクタケース１の一端（図２において左端）寄りの位置において、ネジ１０を回転させるドライバを挿入するための丸孔３が形成されている。
【００２０】
コネクタケース１の中にはピンインサート５が挿入されている。ピンインサート５は、絶縁材料、例えば成形樹脂からなるベース２と、ベース２を厚さ方向（中心軸線方向）に貫通しかつベース２に一体に設けられた３本の接続ピン７、８、９を有してなる。ベース２は外周がコネクタケース１の内周に沿った短い円柱状に形成され、外周面から半径方向中心に向かってねじ孔６が形成されている。ベース２はコネクタケース１の奥側、すなわち上記丸孔３が形成されている位置に対応した位置にあり、上記ねじ孔６にねじ込まれているねじ１０とコネクタケース１の丸孔３とが対応した位置関係になっている。したがって、コネクタケース１の丸孔３からドライバを挿入してねじ１０を回転させることができる。ねじ１０はベース２の外周面から半径方向外方に突出させると、ねじ１０の肩に相当する部分がコネクタケース１の内周面の上記丸孔３の周縁に当たる。このねじ１０の肩に相当する部分がコネクタケース１の内周面に当たることにより、ベース２のねじ１０挿入部とは反対側の外周部がコネクタケース１の内周面に押し当てられ、ピンインサート５がコネクタケース１内に固定される。
【００２１】
上記３本の接続ピン７、８、９はベース２を厚さ方向に貫いていて、一端側（図１、図２において右端側）がコネクタケース１内においてコネクタケース１の中心軸線と略平行に伸び、他端側がコネクタケース１の奥側（図１、図２において左側）の開口端からコネクタケース１の外方に向かって延びている。接続ピン７、８、９の奥側の端部はマイクロホンの適宜の回路に接続される。図示の例では上記ベース２の奥側の端面に密着させて配置されている回路基板１８を接続ピン７、８、９の後端部が貫通していて、前述の従来例と同様に、一つの接続ピン９が回路基板１８の所定の回路パターンに半田付けによって電気的に接続されている。接続ピン９は接地ピンで、回路基板１８の所定の回路パターンを経由してアースに落とされている。あとの二つの接続ピンはホット側とコールド側の信号用のピンで、回路基板１８の所定の回路パターンに、または所定の回路に接続されている。
【００２２】
コネクタケース１の一方の開放端、すなわちベース２が固定されている側とは反対側（図１、図２において右側）からは、例えば、マイクロホンケーブルの一端に設けられた雌型のコネクタが挿入される。マイクロホンコネクタとケーブルコネクタとの結合の様子は図１３について説明した従来のコネクタの結合の様子と同じである。
【００２３】
図１ないし図６に示すように、上記ベース２の一端の外周には、半径方向外側に僅かに突出したフランジ２１が形成されている。また、ベース２の外周には、上記フランジ２１から中心軸線と平行に延びた位置決め突起２２が一体に形成されている。この位置決め突起２２は、これに対応するコネクタケース１の内周面に形成されている溝に嵌ることによって、コネクタケース１に対しベース２を周方向に位置決めするためのものである。
【００２４】
本発明の特徴は、ピンインサート５を構成するベース２の構成にある。ベース２は、外周に上記位置決め突起２２を有するとともに、ガイド突起２５を有している。図示の例では、２個のガイド突起２５を有している。ガイド突起２５は、ベース２が前記ねじ１０によってコネクタケース１の内周面に押し付けられる側（ねじ１０のねじ込み側とは反対側）においてベース２の外周面にベース２とともに一体成形されることによって形成されている。図３に示すように、２個のガイド突起２５は、上記ネジ１０の中心軸線の延長線に対し周方向に均等にずれた位置に、また、２個のガイド突起２５がベース２の中心に対してなす開き角度が６０度前後となるように形成されている。２個のガイド突起２５は、ベース２の中心軸線と平行に伸びている。コネクタケース１の内径に対してピンインサート５の外径、より具体的にはベース２の外径が小さく、コネクタケース１の内周面とベース２の外周面との間に隙間が生じている。ベース２の外周面に対する２個のガイド突起２５の半径方向外側への突出量は、上記コネクタケース１の内周面とベース２の外周面との間に生じている隙間に対応する突出量となっている。
【００２５】
上記のようにして２個のガイド突起２５が形成されたベース２を有するピンインサート５をコネクタケース１に挿入し、丸孔３の位置にねじ１０を合わせ、丸孔３から挿入したドライバでねじ１０を回転させ、ねじ１０をベース２のねじ孔６から引き上げる。ネジ１０の肩に相当する部分がコネクタケース１の内周面に当たり、ベース２のネジ１０とは反対側をコネクタケース１の内周面に押圧する。この押圧力で２個のガイド突起２５がコネクタケース１の内周面に押圧される。このガイド突起２５がないとすれば、前述のようにコネクタケース１の内周面とベース２の外周面との間に生じている隙間に対応する分だけコネクタケース１に対しピンインサート５（より具体的にはベース２）が偏心する。しかし、図示の実施例によれば、ベース２と一体に形成されている２個のガイド突起２５がコネクタケース１の内周面に当接することによって、コネクタケース１に対するベース２の偏心がなくなり、または偏心してもごく僅かな偏心に留まる。よって、偏心を要因とする相手のコネクタとの結合が容易になるとともに、双方のコネクタが電気的に安定に接続され、接触不良の要因も除去することができる。
【００２６】
上記２個のガイド突起２５は、ベース２の中心軸線と平行に伸びていることによって、コネクタケース１に対するベース２の傾きも無くすことができる。前述のように、ベース２が傾く要因は、ねじ１０によってベース２をコネクタケース１内に固定する際にベース２に作用する回転モーメントである。しかし、図示の本発明の実施例によれば、ベース２の周方向に分かれて形成されている２個のガイド突起２５がベース２の中心軸線と平行に伸びているため、２個のガイド突起２５がコネクタケース１の内周面に中心軸線と平行な方向に線接触し、２個のガイド突起２５をコネクタケース１の内周面が受け止めてベース２の回転を阻止する。こうして、コネクタケース１に対するベース２の傾きを防止することができる。
【００２７】
さらに、２個のガイド突起２５がないとすれば、図１０について説明したように、ベース２をコネクタケース１の内周面に押圧したとき、ベース２の一端部外周に形成したフランジ２１が存在することによってコネクタケース１に対しピンコネクタ５が傾く不具合があった。その点本発明の実施例によれば、ベース２の中心軸線と平行な方向に伸びた２個のガイド突起２５がコネクタケース１の内周面に線接触状態で当接するため、コネクタケース１の内周面に対するベース２の押圧力でピンコネクタ５が傾くことを防止することができる。
【００２８】
このように、本発明の実施例によれば、コネクタケース１に対するベース２の傾きを防止することにより、相手のコネクタとの結合が容易になるとともに、双方のコネクタが電気的に安定に接続され、接触不良の要因も除去することができる。
【００２９】
以上説明した本発明に係るマイクロホンコネクタは、これをマイクロホンケースに取り付ける。マイクロホンケース内には、マイクロホンユニット、音響端子、必要な場合は回路基板などが組み込まれ、マイクロホンが構成される。マイクロホンユニットの方式によってマイクロホンの方式が異なるが、本発明においてはマイクロホンの方式は任意である。
【図面の簡単な説明】
【００３０】
【図１】本発明に係るマイクロホンコネクタの実施例を示す平面方向の断面図である。
【図２】上記実施例の正面方向の断面図である。
【図３】上記実施例の側面図である。
【図４】上記実施例中のピンインサートを構成するベースの平面図である。
【図５】上記ベースの正面断面図である。
【図６】上記ベースの底面図である。
【図７】従来のマイクロホンコネクタの例を示す平面方向の断面図である。
【図８】上記従来のマイクロホンコネクタにおけるピンインサートの偏心を示す正面方向の断面図である。
【図９】上記従来のマイクロホンコネクタにおけるピンインサートの傾きを示す平面方向の断面図である。
【図１０】上記従来のマイクロホンコネクタにおけるピンインサートの傾きの別の例を示す正面方向の断面図である。
【図１１】上記従来のマイクロホンコネクタの左側面図である。
【図１２】上記従来のマイクロホンコネクタにおけるピンインサートの平面図である。
【図１３】マイクロホンコネクタとこれに接続されるケーブルコネクタとの関係を示す正面図である。
【符号の説明】
【００３１】
１    コネクタケース
２    ピンインサートのベース
３    孔
５    ピンインサート
６    ねじ孔
７    ピン
８    ピン
９    ピン
１０    ねじ
２１    フランジ
２２    位置決め突起
２５    ガイド突起
【図１】
2008141575.tif 000003
【図２】
2008141575.tif 000004
【図３】
2008141575.tif 000005
【図４】
2008141575.tif 000006
【図５】
2008141575.tif 000007
【図６】
2008141575.tif 000008
【図７】
2008141575.tif 000009
【図８】
2008141575.tif 000010
【図９】
2008141575.tif 000011
【図１０】
2008141575.tif 000012
【図１１】
2008141575.tif 000013
【図１２】
2008141575.tif 000014
【図１３】
2008141575.tif 000015